(57)【要約】【課題】広範囲な場面、場所において使用することができ、常に効果的かつ良好に、また手軽に使用することのできる薬剤放散装置を提供する。【解決手段】吸込口５から放出口６に向かう空気流通路を形成し、この空気流通路に送風ファン１３を備えて、この送風ファン１３により吸込口５から放出口６に空気が流通する装置本体１と、装置本体１の内部又は外部に備えて、電源となる電池７を収納する電池収納部２と、装置本体１における空気流通路に配置して、揮散性薬剤を保有する薬剤保持体３と、装置本体１に取り付けて、被装着物に装着可能となる着用バンド４とからなる薬剤放散装置である。【選択図】　　　　図１
2004024161.tif 000002
【特許請求の範囲】
【請求項１】
吸込口５から放出口６に向かう空気流通路を形成し、この空気流通路に送風ファン１３を備えて、この送風ファン１３により吸込口５から放出口６に空気が流通する装置本体１と、
装置本体１の内部又は外部に備えて、電源となる電池７を収納する電池収納部２と、
装置本体１における空気流通路に配置して、揮散性薬剤を保有する薬剤保持体３と、
装置本体１に取り付けて、被装着物に装着可能となる着用バンド４と、からなることを特徴とする薬剤放散装置。
【請求項２】
装置本体１における吸込口５を着用バンド４を取り付ける側と反対となる上面側に、放出口６を側面側にそれぞれ形成すると共に、この吸込口５側に薬剤保持体３を配置するようにしたことを特徴とする請求項１記載の薬剤放散装置。
【請求項３】
装置本体１における着用バンド４を取り付ける側の面を湾曲状に形成したことを特徴とする請求項１又は請求項２記載の薬剤放散装置。
【請求項４】
着用バンド４に対して装置本体１を回転自在にしたことを特徴とする請求項１又は請求項２又は請求項３記載の薬剤放散装置。
【請求項５】
着用バンド４に対して装置本体１を着用バンド４の長手方向に移動自在にしたことを特徴とする請求項１又は請求項２又は請求項３又は請求項４記載の薬剤放散装置。
【請求項６】
装置本体１に備えた送風ファン１３に薬剤保持体３を固着したことを特徴とする請求項１又は請求項３又は請求項４又は請求項５記載の薬剤放散装置。
【請求項７】
装置本体１に当該装置本体１を覆うようになりかつ空気が流通自在になるカバー体３２を備えたことを特徴とする請求項１又は請求項２又は請求項３又は請求項４又は請求項５又は請求項６記載の薬剤放散装置。
【請求項８】
着用バンド４に装置本体１及び薬剤保持体３を閉塞可能に収納する被覆体３５を備えたことを特徴とする請求項１又は請求項２又は請求項３又は請求項４又は請求項５又は請求項６又は請求項７記載の薬剤放散装置。
【請求項９】
装置本体１に備えた送風ファン１３の駆動停止を行うスイッチ機構部４１を着用バンド４に備えると共に、このスイッチ機構部４１の駆動停止を着用バンド４の連結、切り離しに連動したことを特徴とする請求項１又は請求項２又は請求項３又は請求項４又は請求項５又は請求項６又は請求項７又は請求項８記載の薬剤放散装置。
【発明の詳細な説明】
【０００１】
【発明の属する技術分野】
本発明は、装置本体に備えた送風ファンを用いて、殺虫、忌避等の害虫駆除、芳香、消臭、除菌等の目的に供する揮散性薬剤を放散する薬剤放散装置に関し、さらに詳しくは、装置本体に着用バンドを取り付けて、被装着物に容易に装着することのできる薬剤放散装置に関するものである。
【０００２】
【従来の技術】
従来、装置本体に備えた送風ファンを用いて、殺虫、忌避等の害虫駆除、芳香、消臭、除菌等の目的に供する揮散性薬剤を放散する薬剤放散装置が知られていた。この薬剤放散装置は、装置本体に吸込口と放出口を備え、この吸込口から放出口に向かう空気流通路に送風ファンを備えると共に、空気流通路に揮散性薬剤を保有する薬剤保持体を配置して、送風ファンによる空気の流通によって薬剤保持体に保有した揮散性薬剤を空気中に放散するようにしたものである。
【０００３】
そして、このような薬剤放散装置において、昨今、その便利性から電池を電源とする携帯式の薬剤放散装置が注目を浴びていた。この携帯式の薬剤放散装置には、例えば、装置本体にクリップ状のフック体を備えて、このフック体を人（使用者）の腰に装着しているベルト等に引っ掛けることで、使用者に身に付けさせることができるようになっていた。
【０００４】
【発明が解決しようとする課題】
かかる従来の薬剤放散装置にあっては、確かに使用者の腰にベルト等を介して身に付けることができるようになるものの、この装着位置にはベルト等が必要となるため、その装着位置が人の腰等に限定されるおそれがあり、家畜やペット等の動物に、あるいは住宅の壁や柱等に装着するのが非常に困難であった。このため、当該薬剤放散装置を使用できる場面、場所が少なく、利便性に少々欠けているといった問題があった。
【０００５】
本発明は、以上のような問題に鑑みてなされたものであり、その目的は、広範囲な場面、場所において使用することができ、常に効果的かつ良好に、また手軽に使用することのできる薬剤放散装置を提供することである。
【０００６】
【課題を解決するための手段】
第一の発明は、吸込口から放出口に向かう空気流通路を形成し、この空気流通路に送風ファンを備えて、この送風ファンにより吸込口から放出口に空気が流通する装置本体と、装置本体の内部又は外部に備えて、電源となる電池を収納する電池収納部と、装置本体における空気流通路に配置して、揮散性薬剤を保有する薬剤保持体と、装置本体に取り付けて、被装着物に装着可能となる着用バンドと、からなる薬剤放散装置である。
【０００７】
第二の発明は、第一の発明において、装置本体における吸込口を着用バンドを取り付ける側と反対となる上面側に、放出口を側面側にそれぞれ形成すると共に、この吸込口側に薬剤保持体を配置するようにした薬剤放散装置である。
【０００８】
第三の発明は、第一又は第二の発明において、装置本体における着用バンドを取り付ける側の面を湾曲状に形成した薬剤放散装置である。
【０００９】
第四の発明は、第一又は第二又は第三の発明において、着用バンドに対して装置本体を回転自在にした薬剤放散装置である。
【００１０】
第五の発明は、第一又は第二又は第三又は第四の発明において、着用バンドに対して装置本体を着用バンドの長手方向に移動自在にした薬剤放散装置である。
【００１１】
第六の発明は、第一又は第三又は第四又は第五の発明において、装置本体に備えた送風ファンに薬剤保持体を固着した薬剤放散装置である。
【００１２】
第七の発明は、第一又は第二又は第三又は第四又は第五又は第六の発明において、装置本体に当該装置本体を覆うようになりかつ空気が流通自在になるカバー体を備えた薬剤放散装置である。
【００１３】
第八の発明は、第一又は第二又は第三又は第四又は第五又は第六又は第七の発明において、着用バンドに装置本体及び薬剤保持体を閉塞可能に収納する被覆体を備えた薬剤放散装置である。
【００１４】
第九の発明は、第一又は第二又は第三又は第四又は第五又は第六又は第七又は第八の発明において、装置本体に備えた送風ファンの駆動停止を行うスイッチ機構部を着用バンドに備えると共に、このスイッチ機構部の駆動停止を着用バンドの連結、切り離しに連動した薬剤放散装置である。
【００１５】
【作　用】
第一の発明によれば、装置本体に取り付けた着用バンドを介して、人の腰や首、手や足、あるいは家畜やペット等の動物の首、手や足、さらには住宅の壁や柱等のいろいろな部分である被装着物に容易に装着することができる。
【００１６】
第二の発明によれば、放出口から放出される空気が被装着物に沿って流れることで、吸込口側においては放出口から放出される空気に影響されることなく、送風ファンによって吸込口に向かうスムーズな空気の流れが起こり、吸込口に配置した薬剤保持体では、長期間にわたって安定かつ均一に揮散性薬剤を放散することができる。
【００１７】
第三の発明によれば、装置本体における着用バンドを取り付ける側の面を湾曲状に形成することで、被装着物に対して密着させることができる。
【００１８】
第四の発明によれば、被装着物に装着したとき、着用バンドに対して装置本体を回転することで、装置本体に形成する放出口を、すなわち揮散性薬剤の放散方向を変更することができる。
【００１９】
第五の発明によれば、被装着物に装着したとき、着用バンドに対して装置本体を着用バンドの長手方向に移動することで、装着後に状況に応じて揮散性薬剤を放散する箇所を変更することができる。
【００２０】
第六の発明によれば、送風ファンに薬剤保持体を固着することにで、送風ファンと薬剤保持体との占有部分を小さくすることができ、装置本体の小型化を図ることができる。
【００２１】
第七の発明によれば、カバー体を備えたことで、使用者、特に小さい子ども等が誤って指等を挿入し、薬剤保持体に保有する揮散性薬剤に触れたりするトラブルを未然に防止することができる。
【００２２】
第八の発明によれば、被覆体を備えることで、途中で使用を中止するとき、この被覆体により装置本体及び薬剤保持体を覆って、ここで閉塞することにより、薬剤保持体に保有する揮散性薬剤が外部に放散するのを防止することができる。
【００２３】
第九の発明によれば、送風ファンの駆動停止を行うスイッチ機構部を着用バンドに備えると共に、このスイッチ機構部の駆動停止を着用バンドの連結、切り離しに連動したことで、使用者は揮散性薬剤の放散、停止のための操作をすることなく、単に当該薬剤放散装置を被装着物に装着する、あるいは取り外すだけで、自動的に揮散性薬剤の放散、あるいは停止を行うことができる。
【００２４】
【発明の実施の形態】
本発明による薬剤放散装置の第一実施形態について説明する。薬剤放散装置は、図１、図２、図３に示すように、吸込口５と放出口６を備えると共に、この吸込口５から放出口６に向かう空気流通路を形成した装置本体１と、電源となる電池７を収納する電池収納部２と、揮散性薬剤を保有する薬剤保持体３と、被装着物に装着可能となる着用バンド４とから構成している。
【００２５】
次に、これらについて具体的に説明すると、装置本体１は略円形の上下短筒状であり、上面を円形状に大きく開口し、ここを吸込口５とすると共に、側面における一方側をスリット状に開口し、ここを放出口６にしている。この上面に形成した吸込口５の内周にはねじ部１１を形成する。なお、この吸込口５や放出口６の大きさや形、あるいは放出口６の位置や個数については、これらに限定されるものではない。そして、この装置本体１の内部には放出口６付近の側面を切断した形となる平板をＣ字状に湾曲した内壁１２を備えて、この内壁１２により上面の吸込口５から側面の放出口６に向かう空気流通路を形成する。また、この内壁１２の内部、すなわち空気流通路には送風ファン１３を備えて、この送風ファン１３により吸込口５から放出口６に向かう空気流通路に空気を流通し、最終的には装置本体１の放出口６から外部へと空気を流す。この送風ファン１３としては、遠心送風機の一種であるシロッコファンと呼ばれる多翼式送風機であり、回転方向に対して多数の幅の細い羽根１４を円筒状に備えたもので、その回転中心にモータ１５を備えて、このモータ１５により多数の羽根１４を回転させることで、空気が遠心方向に流れるようになるものである。
【００２６】
なお、この送風ファン１３にあっては、多翼式送風機に限定されるものではなく、他の送風機、例えば、駆動軸にプロペラ状の羽根車を備え、この羽根車の回転により空気を流すプロペラファンと呼ばれる軸流式送風機でも良い。ただし、前述した構造の装置本体に送風ファン１３としてシロッコファンの代わりにプロペラファンを用いた場合は、吸込口５と放出口６とにおいて機能が逆転し、すなわち前述した構造の装置本体における吸込口５が放出口に、放出口６が吸込口になる。
【００２７】
さらに、図示していないが、装置本体１には送風ファン１３の駆動停止を行うスイッチ機構部を備えており、このスイッチ機構部を操作することにより送風ファン１３の駆動又は停止を行う。また、必要に応じて、送風ファン１３を所望時間駆動させるためのタイマーや照明用ライトといった各種の機能を持たせるようにしても良い。
【００２８】
そして、電源となる電池７を収納する電池収納部２は装置本体１の内部で内壁１２の外側に備えるようにし、この電池収納部２は装置本体１において対称位置となる２ヶ所に備えて、それぞれの内部に１個ずつ計２個の電池７を収納する。そして、この電池収納部２に収納した電池７を電源として送風ファン１３を駆動する。
【００２９】
なお、この電池収納部２は、装置本体１における対称位置の２ヶ所として、収納する２個の電池７を別々にしているが、これを、１ヶ所にまとめるようにしても良い。また、収納する電池７も２個ではなく、１個あるいは３個以上の複数でも良く、使用できる期間や内容に応じて決めれば良い。また、この電池収納部２にあっては、装置本体１の内部に備えるのではなく、装置本体１の外部に装置本体１とは別体となるように電池収納部２を備えるようにしても良い。
【００３０】
そして、揮散性薬剤を保有する薬剤保持体３は装置本体１の上面の吸込口５に配置し、装置本体１に対して着脱自在にする。図４に示すように、この薬剤保持体３は上面と下面に多数のスリット形の通気口１６を年輪状に形成した容器１７と、この容器１７の中に収容される粒状の担体粒１８とからなり、この担体粒１８に揮散性薬剤を含浸させることで、薬剤保持体３に揮散性薬剤を保有する。この薬剤保持体３にあっては、容器１７の上面と下面に形成した多数の通気口１６により内部に空気を流通して、この空気の流通により内部の担体粒１８に含浸した揮散性薬剤を放散し、装置本体１に形成した空気流通路において、送風ファン１３により、放出口６より外部の空気中に揮散性薬剤を放散する。
【００３１】
また、この薬剤保持体３における容器１７は装置本体１の円形状の吸込口５より若干小さな大きさにすることで、装置本体１の吸込口５に収まるようになり、また、容器１７の外周にフランジ１９とねじ部２０を形成して、このねじ部２０が装置本体１の吸込口５に形成するねじ部１１に螺合することで、容器１７及び薬剤保持体３が装置本体１の吸込口５に固着する。この容器１７及び薬剤保持体３と装置本体１の吸込口５との固着方法は、これに限定されるものではなく、他の固着方法でも良い。
【００３２】
なお、この担体粒１８に含浸させる揮散性薬剤としては、従来より用いられている揮散性の高い芳香、消臭、除菌、防菌、防黴等に用いる各種の薬剤、あるいは殺虫、忌避、成長制御等の害虫駆除に用いる各種の薬剤等である。また、この揮散性薬剤を保有する薬剤保持体３にあっては、揮散性薬剤を含浸させた担体粒１８を容器１７内に収容するようにしていたが、これに限定されるものではない。揮散性薬剤を保有した担持体の成形体（ネット、プレート、繊維体、スポンジ体等）を用いるようにしても良く、その形態、材質は任意に設定することができ、簡単な構造、通気性の大きなもの等が良い。例えば、通気孔を有する容器形状、網形状、ハニカム形状、スノコ形状、格子形状等が挙げられる。この材質も、紙、合成樹脂、セラミック、繊維等の公知なものが挙げられる。
【００３３】
そして、被装着物に装着可能となる着用バンド４は装置本体１における上面に形成した吸込口５と反対となる側、すなわち下面側に取り付けるようになり、まず、装置本体１の下面側に着用バンド４を取り付けるための取り付け部２１を形成し、この取り付け部２１は薄細状で装置本体１全長にわたって形成する貫通孔である。そして、この貫通孔となる取り付け部２１を介して着用バンド４を装置本体１の下面側に取り付ける。この着用バンド４は長尺平帯状となり、一端側にバックル２２を備えると共に、他端側に複数個の穴２３を形成し、ここで連結するようにしたものである。これにより、この着用バンド４を被装着物に、例えば、人の腰や首、手や足、あるいは家畜やペット等の動物の首、手や足、さらには住宅の壁や柱等のいろいろな部分に巻き付けて連結することにより、この着用バンド４を介して被装着物に当該薬剤放散装置を装着する。
【００３４】
なお、この着用バンド４にあっては、人の手首等に装着可能にする長さ数センチの寸法から人の腰や物に装着可能にする１，２メートルの寸法まで、長さは任意であり、また、横幅や厚みも使用する目的や場所、すなわち被装着物に応じて決めれば良く、帯状のものから紐状のものまでさまざまなもので良い。その原材料も特に限定されるものではなく、合成樹脂、皮革、布、繊維、ゴム等の既存材料のもので良い。また、着用バンド４に備えた連結するための手段としては、前述のバックル２２と複数個の穴２３のものに限定されるものではなく、例えば、ボタン形式、ホック形式、挿し込みベルト形式、面ファスナーテープ（マジックテープ：登録商標名）形式等でも良い。
【００３５】
このように当該薬剤放散装置にあっては、装置本体１と電池収納部２と薬剤保持体３と着用バンド４とから構成することにより、装置本体１に取り付けた着用バンド４を介して、人の腰や首、手や足、あるいは家畜やペット等の動物の首、手や足、さらには住宅の壁や柱等のいろいろな部分である被装着物に容易に装着することができる。しかも、電源となる電池７を電池収納部２に収納したことにより、商業電源のない場所でも使用することができる。これにより、当該薬剤放散装置を装着して使用する位置が特定の場所や場面に限定されることなく、広範囲な場面、場所において使用することができ、常に効果的かつ良好に、また手軽に使用することができる。また、当該薬剤放散装置は、ネックレスタイプ、ブレスレットタイプ、腕時計タイプといった今までにないデザイン及び形にすることができ、画期的な商品を提供することができる。
【００３６】
しかも、装置本体１における吸込口５を着用バンド４を取り付ける側と反対となる上面側に、放出口６を側面側にそれぞれ形成すると共に、この吸込口５側に薬剤保持体３を配置したことにより、放出口６から放出される空気が被装着物に沿って流れることで、吸込口５側においては放出口６から放出される空気に影響されることなく、送風ファンによって吸込口５に向かうスムーズな空気の流れが起こり、吸込口５に配置した薬剤保持体３では、長期間にわたって安定かつ均一に揮散性薬剤を放散することができ、優れた薬剤効果を発揮することができる。
【００３７】
次に、前述した第一実施形態の変形例について説明する。薬剤放散装置の基本的構成は、前述した第一実施形態と同様であり、装置本体１と電池収納部２と薬剤保持体３と着用バンド４とからなる。
【００３８】
そして、このような構成となる薬剤放散装置において、図５に示すように、装置本体１における着用バンド４を取り付ける側である下面を湾曲状に形成する。これは、装置本体１の下面を取り付ける着用バンド４の取り付け方向に向かって湾曲するようにして、例えば、当該薬剤放散装置を装着する箇所である被装着物を人の手首とすると、この装置本体１の下面を半径２センチから５センチ程度の湾曲状に形成する。なお、この変形例にあっては、装置本体１と電池収納部２とが着脱自在となり、装置本体１全体を電池収納部２が覆うような構造にしている。ただし、これに限定されるものではなく、前述した第一実施形態と同様、装置本体１の内部に電池収納部２を備えるような構造でも良い。
【００３９】
このように装置本体１の下面を湾曲状に形成したことにより、人の手首等の被装着物に装置本体１の下面を密着することができ、着用バンド４により被装着物に極めて良好に装着することができ、使用者の不快感等をなくすことができる。
【００４０】
なお、この装置本体１における湾曲状にした下面は、前述したものに限定されるものではなく、湾曲状となる下面の形状も被装着物に応じて決めれば良い。
【００４１】
さらに、前述した第一実施形態の他の変形例について説明する。薬剤放散装置の基本的構成は、前述した第一実施形態と同様であり、装置本体１と電池収納部２と薬剤保持体３と着用バンド４とからなる。しかしながら、装置本体１における着用バンド４の取り付け部２１が前述した第一実施形態と相違する。
【００４２】
これは、図６、図７に示すように、この着用バンド４の取り付け部２１の構造を変更することで、着用バンド４に対して装置本体１を回転自在にするものであり、具体的には、まず、装置本体１の下面に取り付け部２１となるリベット状のピン２４を備えると共に、着用バンド４に穴部２５を形成する。そして、この装置本体１のピン２４を着用バンド４の穴部２５に嵌合することで、着用バンド４を装置本体１の下面に取り付ける。
【００４３】
このように取り付け部２１を装置本体１側のピン２４と着用バンド４側の穴部２５とから構成することにより、ピン２４と穴部２５とにおいて回転自在にすることができ、すなわち着用バンド４に対して装置本体１を回転自在にする。
【００４４】
これにより、当該薬剤放散装置を被装着物に装着したとき、装置本体１に形成する放出口６を、すなわち揮散性薬剤の放散方向を変更することができ、揮散性薬剤を効果的な方向に容易に放散することができる。
【００４５】
また、この着用バンド４の取り付け部２１の構造の別の例としては、前述のような着用バンド４に対して装置本体１を回転自在にしつつ、さらに着用バンド４に対して装置本体１を着用バンド４の長手方向に移動自在にするものである。具体的には、まず、装置本体１の下面に取り付け部２１となるリベット状のピン２４を備えると共に、着用バンド４に長穴部２６を形成する。図８に示すように、この長穴部２６は着用バンド４の長手方向に沿って長く伸びる穴であり、所定の間隔で半円状の拡幅部２７を複数形成する。そして、この装置本体１のピン２４を着用バンド４の複数の拡幅部２７を形成する長穴部２６に嵌合することで、着用バンド４を装置本体１の下面に取り付ける。
【００４６】
このように取り付け部２１を装置本体１側のピン２４と着用バンド４側の長穴部２６とから構成することにより、ピン２４と長穴部２６における拡幅部２７とにおいて回転自在にすることができ、すなわち着用バンド４に対して装置本体１を回転自在にすると共に、ピン２４を複数の拡幅部２７を形成する長穴部２６に沿って移動自在にすることができ、すなわち着用バンド４に対して装置本体１を着用バンド４の長手方向に移動自在にする。
【００４７】
これにより、当該薬剤放散装置を被装着物に装着したとき、前述と同様、揮散性薬剤の放散方向を変更することができ、しかも、放散する箇所も変更することができる。これは、当該薬剤放散装置を人の腰等に装着したとき、例えば、腰の右側に装着後、状況に応じて腰の前側や後ろ側あるいは左側へと変更することができ、揮散性薬剤の放散を極めて効果的に行うことができる。また、当該薬剤放散装置を被装着物に装着したときに、ずれて装着しても、これを容易に修正することができ、再度の装着といったことなくして、装着時の手間を省くことができる。
【００４８】
なお、前述したような着用バンド４に対して装置本体１を回転自在にすると共に、着用バンド４の長手方向に移動自在にしたものに限定されるものではなく、着用バンド４に対して装置本体１を回転自在にすることなく、長手方向にのみ移動自在にするようにしても良い。また、取り付け部２１の構成も前述したピン２４と穴部２５あるいは長穴部２６に限定されるものではなく、ここにホック形式のボタンや面ファスナーテープ（マジックテープ：登録商標名）等を用いるようにしても良い。
【００４９】
次に、本発明による薬剤放散装置の第二実施形態について説明する。薬剤放散装置の基本的構成は、前述した第一実施形態と同様であり、装置本体１と電池収納部２と薬剤保持体３と着用バンド４とからなる。しかしながら、装置本体１と薬剤保持体３とにおいて前述した第一実施形態と相違する。
【００５０】
これは、図９、図１０に示すように、装置本体１の内部の空気流通路に備えた送風ファン１３において、その外周に薬剤保持体３を備えて、送風ファン１３に薬剤保持体３を固着する。具体的には、送風ファン１３における円筒状に備えた細い羽根１４の外周にリング状の容器３１を備え、この容器３１には多数の通気口を形成し、内側に位置する送風ファン１３により内側から外側へ空気が流通する。そして、この容器３１の中に粒状の担体粒１８を収容し、この担体粒１８に揮散性薬剤を含浸させる。これにより、容器３１内に収容する担体粒１８に含浸させた揮散性薬剤が送風ファン１３による空気の流通により外部に放散する。
【００５１】
このように送風ファン１３に薬剤保持体３を固着することにより、装置本体１における送風ファン１３と薬剤保持体３との占有部分を一緒にし、送風ファン１３と薬剤保持体３との占有部分を小さくすることができる。これにより、装置本体１の小型化を図ることができ、上下方向において、前述した第一実施形態に対して薬剤保持体３の部分だけ低くすることができる。特に装置本体１を薄くすることで、例えば、人の手首等に装着するものにおいては、極めて良好かつ快適に装着して使用することができる。
【００５２】
なお、送風ファン１３に薬剤保持体３を固着する例としては、前述した送風ファン１３における羽根１４の外周に容器３１を備え、この容器３１の中の担体粒１８に揮散性薬剤を含浸させていたが、これに限定されるものではなく、これとは逆に、送風ファン１３における羽根１４の内周に容器３１を備えるようにしても良い。また、送風ファン１３における羽根１４の間に揮散性薬剤を含浸させた担体粒１８を直接備えるようにしても良い。さらに、送風ファン１３を揮散性薬剤を混合した材料によって成形するようにしても良い。
【００５３】
次に、本発明による薬剤放散装置の第三実施形態について説明する。薬剤放散装置の基本的構成は、前述した第一実施形態や第二実施形態と同様の装置本体１と電池収納部２と薬剤保持体３と着用バンド４とからなるが、これにさらに、装置本体１を覆うようになるカバー体３２を備える。図１１に示すように、このカバー体３２は装置本体１の上面と側面とを覆うようになるもので、略円筒状となり上面に網目状の通気口３３を、側面にスリット状の通気口３４をそれぞれ形成して空気を流通自在にするものである。
【００５４】
このように装置本体１にカバー体３２を備えたことにより、使用者、特に小さい子ども等が誤って指等を挿入し、薬剤保持体３に保有する揮散性薬剤に触れたりするトラブルを未然に防止することができ、安全性を高めることができる。また、薬剤保持体３や装置本体１の破損も防止することができる。
【００５５】
次に、本発明による薬剤放散装置の第四実施形態について説明する。薬剤放散装置の基本的構成は、前述した第一実施形態や第二実施形態と同様の装置本体１と電池収納部２と薬剤保持体３と着用バンド４とからなるが、これにさらに、装置本体１及び薬剤保持体３を閉塞可能に収納する被覆体３５を着用バンド４に備える。図１２に示すように、この被覆体３５としてはプラスチック等の硬質材料からゴムや布等の軟質材料といった各種の材料を用いることができ、装置本体１における吸込口５と放出口６及び薬剤保持体３における通気口１６すべてを覆って閉塞することで、空気の流通を遮断する。なお、この被覆体３５は着用バンド４に対して着脱自在にする。
【００５６】
このように着用バンド４に被覆体３５を備えることにより、当該薬剤放散装置を使用した後、途中で使用を中止するとき、この被覆体３５により装置本体１及び薬剤保持体３を覆って、ここで閉塞することで、薬剤保持体３に保有する揮散性薬剤が外部に放散するのを防止することができる。これにより、薬剤保持体３に保有する揮散性薬剤の量が減るのをおさえることで、長期間、使用を中止した後でも、再度使用することができる。
【００５７】
次に、本発明による薬剤放散装置の第五実施形態について説明する。薬剤放散装置の基本的構成は、前述した第一実施形態や第二実施形態と同様であり、装置本体１と電池収納部２と薬剤保持体３と着用バンド４とからなる。しかしながら、装置本体１や電池収納部２において前述した第一実施形態や第二実施形態と相違する。
【００５８】
これは、図１３、図１４に示すように、まず、装置本体１は略正方形の上下短箱状になり、上面を円形状に大きく開口し、ここを吸込口５とすると共に、側面四方すべてに楕円上の通気口を形成し、ここを放出口６にしている。そして、この装置本体１の内部には上面の吸込口５から側面の放出口６に向かう空気流通路を形成すると共に、前述の送風ファン１３を備えて、この送風ファン１３により吸込口５から側面四方に形成する放出口６に向かう空気流通路に空気が流通する。そして、装置本体１の上面の吸込口５に揮散性薬剤を保有する薬剤保持体３は配置する。また、図１５に示すように、電池収納部２は装置本体１の下部に着用バンド４を跨ぐようになる２ヶ所に備え、この２ヶ所の電池収納部２を連結材３６で連結している。そして、この電池収納部２及び連結材３６と装置本体１とが嵌合すると、この間に着用バンド４が挟み込まれる。これにより、装置本体１に着用バンド４が取り付く。なお、このように着用バンド４が電池収納部２と装置本体１との間に挟み込まれる構造にすることで、着用バンド４に対して電池収納部２及び装置本体１を着用バンド４の長手方向に移動自在にする。
【００５９】
このような構成にすることにより、前述した第一実施形態や第二実施形態と同様、当該薬剤放散装置を、広範囲な場面、場所において使用することができ、常に効果的かつ良好に、また手軽に使用することができる。しかも、装置本体１と電池収納部２との嵌合により着用バンド４が装置本体１に取り付くようになり、極めてシンプルな構造にすることができる。
【００６０】
次に、本発明による薬剤放散装置の第六実施形態について説明する。薬剤放散装置の基本的構成は、前述した第一実施形態や第二実施形態あるいは第五実施形態と同様の装置本体１と電池収納部２と薬剤保持体３と着用バンド４とからなる。しかしながら、装置本体１の送風ファン１３の駆動停止を行うためのスイッチ機構部において、前述した第一実施形態や第二実施形態あるいは第五実施形態と相違し、この送風ファン１３の駆動停止を行うためのスイッチ機構部４１を着用バンド４に備え、このスイッチ機構部４１の駆動停止を着用バンド４の連結、切り離しに連動する。
【００６１】
図１６に示すように、この着用バンド４に備えるスイッチ機構部４１としては、着用バンド４の両端を連結することにより送風ファン１３を駆動し、着用バンド４の両端を切り離すことにより送風ファン１３を停止するもので、着用バンド４の連結、切り離しに連動しており、長尺平帯状となる着用バンド４の内部に装置本体１の送風ファン１３と電気的につながっている導電性部材４２を備えると共に、着用バンド４の両端に互いに連結可能となる接合ピン４３を備えて、この両端の接合ピン４３は導電性部材４２に電気的につながる。これにより、着用バンド４の両端である接合ピン４３を連結することで、着用バンド４内部の導電性部材４２において電気が流れ、送風ファン１３を駆動すると共に、着用バンド４の両端である接合ピン４３を切り離すことで、着用バンド４内部の導電性部材４２において電気が流れなくなり、送風ファン１３を停止する。すなわち着用バンド４を被装着物に装着すると同時に、送風ファン１３が自動的に駆動して、揮散性薬剤を放散すると共に、着用バンド４を被装着物より取り外すと同時に、送風ファン１３が自動的に停止して、揮散性薬剤の放散を停止する。
【００６２】
このように着用バンド４における連結と切り離しにより送風ファン１３の駆動停止を行う、すなわち揮散性薬剤の放散、停止をするようにしたことで、使用者は揮散性薬剤の放散、停止のための操作をすることなく、単に当該薬剤放散装置を被装着物に装着する、あるいは取り外すだけで、自動的に揮散性薬剤の放散、あるいは停止を行うことができ、操作を非常に簡単なものにすることができる。特に犬や猫といった動物に使用する場合、当該薬剤放散装置を装着して取り付けるだけで揮散性薬剤が放散するようになるため、その作業が非常に簡単かつ容易なものになる。
【００６３】
なお、着用バンド４に備えるスイッチ機構部４１にあっては、前述したものに限定されるものではなく、例えば、以下のようなものでも良い。図１７に示すように、着用バンド４の両端に電源となる電池７を収納する電池収納部２を備えると共に、この両端の電池収納部２に接合ピン４３を備えて、この接合ピン４３を互いに連結可能にする。これにより、着用バンド４の両端である電池収納部２において接合ピン４３を介して連結することで、着用バンド４内部の導電性部材４２において電気が流れ、送風ファン１３を駆動すると共に、着用バンド４の両端の電池収納部２において接合ピン４３を切り離すことで、着用バンド４内部の導電性部材４２において電気が流れなくなり、送風ファン１３を停止する。すなわち、着用バンド４における両端の電池収納部２において接合ピン４３の連結、切り離しにより送風ファン１３の駆動、停止を行う。
【００６４】
さらに別の例としては、図１８に示すように、着用バンド４の両端に電源となる電池７を収納する電池収納部２を備えると共に、装置本体１側にも、着用バンド４の両端の電池収納部２が嵌合可能になる穴状の嵌合部４４を形成し、この装置本体１の嵌合部４４と着用バンド４の両端の電池収納部２とを嵌合することで、ここに電気が流れて、送風ファン１３が駆動する。なお、この場合、着用バンド４にあっては内部に導電性部材４２を備える必要はない。
【００６５】
【発明の効果】
本発明によれば、装置本体に取り付けた着用バンドを介して、人の腰や首、手や足、あるいは家畜やペット等の動物の首、手や足、さらには住宅の壁や柱等のいろいろな部分である被装着物に容易に装着することができ、当該薬剤放散装置を広範囲な場面、場所において使用することができ、常に効果的かつ良好に、また手軽に使用することができる。
【００６６】
また、本発明によれば、放出口から放出される空気が被装着物に沿って流れることで、吸込口側においては放出口から放出される空気に影響されることなく、送風ファンによって吸込口に向かうスムーズな空気の流れが起こり、吸込口に配置した薬剤保持体では、長期間にわたって安定かつ均一に揮散性薬剤を放散することが、優れた薬剤効果を発揮する。
【００６７】
さらに、本発明によれば、装置本体における着用バンドを取り付ける側の面を湾曲状に形成することで、人の手首等の被装着物に対して密着させることができ、着用バンドにより極めて良好に当該薬剤放散装置を装着することができる。
【００６８】
また、本発明によれば、被装着物に装着したとき、着用バンドに対して装置本体を回転することで、装置本体に形成する放出口を、すなわち揮散性薬剤の放散方向を変更することができ、揮散性薬剤を効果的な方向に容易に放散することができる。
【００６９】
また、本発明によれば、被装着物に装着したとき、着用バンドに対して装置本体を着用バンドの長手方向に移動することで、装着後に状況に応じて揮散性薬剤を放散する箇所を変更することができ、揮散性薬剤の放散を極めて効果的に行うことができる。
【００７０】
さらに、本発明によれば、送風ファンに薬剤保持体を固着することにで、送風ファンと薬剤保持体との占有部分を小さくすることができ、装置本体の小型化を図ることができ、当該薬剤放散装置を極めて良好かつ快適に装着して使用することができる。
【００７１】
また、本発明によれば、カバー体を備えたことで、使用者、特に小さい子ども等が誤って指等を挿入し、薬剤保持体に保有する揮散性薬剤に触れたりするトラブルを未然に防止することができ、安全性を高めると共に、薬剤保持体や装置本体の破損も防止する。
【００７２】
また、本発明によれば、被覆体を備えることで、途中で使用を中止するとき、この被覆体により装置本体及び薬剤保持体を覆って、ここで閉塞することにより、薬剤保持体に保有する揮散性薬剤が外部に放散するのを防止することができ、長期間、使用を中止した後でも、再度使用することができる。
【００７３】
しかも、本発明によれば、送風ファンの駆動停止を行うスイッチ機構部を着用バンドに備えると共に、このスイッチ機構部の駆動停止を着用バンドの連結、切り離しに連動したことで、使用者は揮散性薬剤の放散、停止のための操作をすることなく、単に当該薬剤放散装置を被装着物に装着する、あるいは取り外すだけで、自動的に揮散性薬剤の放散、あるいは停止を行うことができ、操作を非常に簡単なものにすることができる。
【図面の簡単な説明】
【図１】本発明の第一実施形態における薬剤放散装置の斜視図である。
【図２】本発明の第一実施形態における薬剤放散装置の断面図である。
【図３】図２のＡ−Ａ断面図である。
【図４】薬剤放散装置における薬剤保持体の斜視図である。
【図５】本発明の第一実施形態の変形例における薬剤放散装置の断面図である。
【図６】本発明の第一実施形態の他の変形例における薬剤放散装置の断面図である。
【図７】薬剤放散装置における着用バンドの斜視図である。
【図８】薬剤放散装置における着用バンドの斜視図である。
【図９】本発明の第二実施形態における薬剤放散装置の断面図である。
【図１０】図９のＡ−Ａ断面図である。
【図１１】本発明の第三実施形態における薬剤放散装置の斜視図である。
【図１２】本発明の第四実施形態における薬剤放散装置の斜視図である。
【図１３】本発明の第五実施形態における薬剤放散装置の斜視図である。
【図１４】本発明の第五実施形態における薬剤放散装置の断面図である。
【図１５】薬剤放散装置における電池収納部の斜視図である。
【図１６】本発明の第六実施形態における薬剤放散装置の分解斜視図である。
【図１７】本発明の第六実施形態の別の例における薬剤放散装置の分解斜視図である。
【図１８】本発明の第六実施形態の別の例における薬剤放散装置の分解斜視図である。
【符号の説明】
１…装置本体、２…電池収納部、３…薬剤保持体、４…着用バンド、５…吸込口、６…放出口、７…電池、１１…ねじ部、１２…内壁、１３…送風ファン、１４…羽根、１５…モータ、１６…通気口、１７…容器、１８…担体粒、１９…フランジ、２０…ねじ部、２１…取り付け部、２２…バックル、２３…穴、２４…ピン、２５…穴部、２６…長穴部、２７…拡幅部、３１…容器、３２…カバー体、３３…通気口、３４…通気口、３５…被覆体、３６…連結材、４１…スイッチ機構部、４２…導電性部材、４３…接合ピン、４４…嵌合部。
【図１】
2004024161.tif 000003
【図２】
2004024161.tif 000004
【図３】
2004024161.tif 000005
【図４】
2004024161.tif 000006
【図５】
2004024161.tif 000007
【図６】
2004024161.tif 000008
【図７】
2004024161.tif 000009
【図８】
2004024161.tif 000010
【図９】
2004024161.tif 000011
【図１０】
2004024161.tif 000012
【図１１】
2004024161.tif 000013
【図１２】
2004024161.tif 000014
【図１３】
2004024161.tif 000015
【図１４】
2004024161.tif 000016
【図１５】
2004024161.tif 000017
【図１６】
2004024161.tif 000018
【図１７】
2004024161.tif 000019
【図１８】
2004024161.tif 000020